(57)【要約】【課題】パネルに固定された機器交換で固定穴が交換品と異なる時、パネルを開口加工後、交換品用の互換板をパネルに締結し機器交換を行うが互換板を締結する際、適当な持ち手がないため位置決めが難しく作業も困難であった。【解決手段】パネル２の板厚分の段差７を有し曲げ部１７までの距離Ｄのクランプ４で互換板１の角穴１０にねじ１８で保持し段差７と互換板１の間を溝５とし持ち手９で保持し、パネル２への締結時に溝５をパネル２の開口部３の下端８に挟み、互換板１の固定穴１５から角穴１０の下端６の差をＡとし、パネル開口部３の下端８から取付け穴１９の差をＢとし、クランプ４の段差７と角穴１０の下端６の差がＣの目印１２に合わせることでＡ−Ｂ＝Ｃ＜Ｄの関係とし固定穴１５と取付け穴１９の高さが合うことで互換板１の取付け作業が確実なものとなる。【選択図】図５
2018042442.tif 000002
【特許請求の範囲】
【請求項１】
機器（１４）を更新する際に使用する互換板（１）の構成において、互換板固定穴（１５）と角穴（１０）を有する互換板（１）と、既設パネル（２）に開口した貫通穴（３）の下端（８）と互換板取付け穴（１５）間の垂直距離Ｂと、互換板（１）の角穴（１０）の下端（６）と互換板取付け穴（１９）間の垂直距離（Ａ）に対応し、先端に既設パネル（２）の板厚に対応した段差（７）を有し、段差（７）と曲げ部（１７）間の距離（Ｄ）の関係で、Ａ−Ｂ＝Ｃの位置に目印（１２）を有し、Ｃ＜Ｄの関係になる持ち手付のクランプ（４）を組み合わせることにより、互換板（１）の既設パネル（２）への固定作業を容易にした互換板構成セット
【発明の詳細な説明】
【技術分野】
【０００１】本発明は、箱体内に電気機器を収納する閉鎖配電盤（キュービクル）に係り、収納する電気機器の固定方法、交換方法の改良に関する。
【背景技術】
【０００２】従来例を〔１図〕〔２図〕で示すが、一般的に電気機器１３を垂直に立てたパネル２等に固定する場合、パネル２に、本体固定用の穴を設け、表面板と重ね合わせボルト等で締結することにより、電気機器１３を固定している。【０００３】電気機器１３が老朽化した場合、新しいものに交換する必要が生じるが、交換用電気機器１４のパネル２への固定用の穴が既設電気機器１３と異なる場合、交換工事を円滑に行うため、パネル２には、交換用電気機器１４の本体を貫通する貫通穴３と互換板１を固定するための取付け穴１９を追加加工し、交換用電気機器１４の形状に合わせて用意した互換板１を、パネル２に取付けて後、交換用電気機器１４を互換板１に固定することで交換するのが一般的である。
【発明の開示】
【発明が解決しようとする課題】
【０００４】パネルに固定した機器の交換では、交換品固定用の互換板をパネルにボルトで締結後、機器交換するが、パネルに互換板を締結する作業では互換板に適当な持ち手がなく、また位置決めも難しく、締結するための作業が困難であった。
【課題を解決するための手段】
【０００５】互換板に持ち手を追加すれば、互換板の取付け作業は容易となるが、電気機器の交換後は、持ち手の存在は不要となり、パネルの表面側に残るため、体裁上も好ましくなく、最終的には取り外す必要があり、痕跡も残るので不便であり、美観上好ましくない。【０００６】互換板をパネルに取付ける作業時にのみ、持ち手の役目をはたし、取付け後は容易に取り外せる持ち手を用意することで、問題は解決する。【０００７】上記目的を達成するためには、互換板を挟み込むことで、持ち手を形成するクランプを用意し、クランプの挟み込み位置を互換板の角穴下端と、パネルの貫通穴の下端の位置に合わせて調整することで、位置決めのための溝を構成させ、固定穴の高さ位置も設定でき、かつ固定作業後は、容易に取り外し可能で、痕跡も残すことがない。
【発明の効果】
【０００８】本発明は、以上説明したように構成されているので、以下に記載されるような効果を奏する。【０００９】互換板の取付けに使用するクランプは、一時的に互換板を挟んで固定するものであり、互換板をパネルに取付けた後は、外すことができ、痕跡を残さない。【００１０】クランプの挟み込み位置を互換板の角穴下端と、パネルの貫通穴の下端の位置に合わせて調整することで、位置決めのための溝を構成させることが可能で、互換板の固定穴の高さ位置も、パネルの取付け穴の高さに設定できる。
【発明を実施するための最良の形態】
【００１１】発明の実施の形態を実施例にもとづき、図面を参照して説明すると、〔図３〕〔図４〕〔図５〕おいて、先端にパネル２の板厚に相当する深さの段差７を有し、段差７から曲げ部１７までの距離Ｄを有する持ち手９付のクランプ４を用意し、互換板１の角穴１０にクランプ４のねじ部１８を回転して、押板１１でクランプ４に確実に保持した状態により、段差７と互換板１の間に既設パネル２の板厚分の溝５を構成させ、クランプ４の持ち手９により互換板１を確実に保持し、互換板１をパネル２へボルト締結作業する時に、この溝５をパネル２の貫通穴３の下端８に挟み込んで垂直方向の高さを位置決めし保持させる。【００１２】互換板１のボルトによる固定穴１５から機器貫通穴１０の下端６までの垂直方向の寸法差を（Ａ）とし、貫通穴３の下端８から、互換板１の取付け穴１９までの垂直方向の寸法差を（Ｂ）とした場合、クランプ４の段差７と、互換板１の角穴１０の下端６の垂直方向の寸法差が（Ｃ）となる目印１２に合わせ保持することでＡ−Ｂ＝Ｃ＜Ｄの関係となり、互換板固定穴１５と取付け穴１９の垂直方向の高さが合致する。【００１３】互換板１をパネル２にボルト等で固定するさい、問題のあった互換板１の支持や、位置決めが、クランプ４の存在により、容易に支持ができるようになり、固定穴の取付け穴に対する高さ決めも容易となる。【００１４】〔図３〕に示すように、クランプ４を単数使用しても垂直方向の高さ決めが可能で、作業時の効果は大きいが、〔図４〕に示すように、複数使用すれば、水平方向の位置決めも更に容易となり、クランプ４のみで、互換板１をパネル２に仮止めすることも可能となり、より便利で確実なものになる。【００１５】既設品として、交換の対象となる機器や、交換するための機器の取付け方法も様々であり、互換板の角穴の位置も異なるが、互換板の取り付け穴の関係をＡ−Ｂ＝Ｃの関係で整理することにより、複数の目印を持ち、共用可能でコンパクトなクランプで広範囲の機器交換作業に適用することが可能になる。
【産業上の利用可能性】
【００１６】本発明は、箱体内に電気機器を収納する閉鎖配電盤（キュービクル）に係り、収納する電気機器の固定方法、交換方法に利用することができる。
【図面の簡単な説明】
【００１７】
【図１】通常の電気機器のパネルへの固定方法である
【図２】電気機器を交換する際、互換板を使って交換する場合の固定方法である
【図３】本案のクランプを１個使って互換板を開口したパネルに取付け方法である
【図４】本案のクランプを複数使用して、取り付け中の様子を示している
【図５】本案のクランプで互換板を保持している状態の断面図である。
【符号の説明】
【００１８】１互換板
２パネル
３貫通穴
４クランプ
５溝
６互換板角穴下端
７クランプ段差
８パネル貫通穴下端
９クランプ持ち手
１０互換板角穴
１１クランプ押し板
１２目印
１３既設電気機器
１４交換用電気機器
１５互換板固定穴
１７曲げ部
１８クランプねじ部
１９互換板取付け穴
【図１】
2018042442.tif 000003
【図２】
2018042442.tif 000004
【図３】
2018042442.tif 000005
【図４】
2018042442.tif 000006
【図５】
2018042442.tif 000007